【手続補正書】
【提出日】平成15年6月25日(2003.6.25)
【手続補正１】
【補正対象書類名】明細書
【補正対象項目名】特許請求の範囲
【補正方法】変更
【補正の内容】
【特許請求の範囲】
【請求項１】
上下方向へ継ぎ足せるように構成した一対の支柱とこの両支柱の上端に架設した横材とからなる建枠を、上下方向に多数設けると共に、左右方向に多数並設し、かつ、この各建枠の横材間に床板を架け渡してなる枠組み足場用の先行手摺を支持するための支持装置であって、前記建枠の一方側の支柱に上下動自在に取付けられる支持装置本体と、該支持装置本体を前記横材に係止するためのストッパーとを有し、該支持装置本体の上下動を前記ストッパーが係止される前記横材の利用で阻止して固定できるようにしたことを特徴とする先行手摺の支持装置。
【請求項２】
前記支持装置本体は、両側部および底部とから断面略コ字状に形成されており、前記両側部および底部で囲まれた走行用溝の内部を前記建枠の支柱が通るようにして、該支柱に対して上下動自在になっており、前記両側部には、前記支柱を挟持して支持装置本体を前記支柱に固定する固定部と、前記固定部による固定およびその解除を操作するための操作部が設けられていることを特徴とする請求項１記載の先行手摺の支持装置。
【請求項３】
前記走行用溝の開口側である両側部の端面には、前記支持装置本体の上下動のガイドおよび前記建枠の支柱からの外れ止めを行うガイド部が設けられていることを特徴とする請求項１または２記載の先行手摺の支持装置。
【請求項４】
上下方向へ継ぎ足せるように構成した一対の支柱とこの両支柱の上端に架設した横材とからなる建枠を、上下方向に多数設けると共に、左右方向に多数並設し、かつ、この各建枠の横材間に床板を架け渡してなる枠組み足場用の先行手摺を支持するための支持装置であって、両側部および底部とから断面略コ字状に形成されており、前記両側部および底部で囲まれた走行用溝の内部を前記建枠の一方側の支柱が通るようにして、該支柱に対して上下動自在に取付けられる支持装置本体と、前記支持装置本体の上下部の前記走行用溝の開口側である両側部の端面に設けられ、前記支持装置本体の上下動のガイドおよび前記建枠の支柱からの外れ止めを行うガイド部と、前記支持装置本体の上部の前記走行用溝の開口側である両側部の端面に設けられ、前記建枠の横材に係止されて前記支持装置本体の下方への移動のみを阻止するストッパーと、前記支持装置本体の両側部に設けられ、前記建枠の支柱を挟持して支持装置本体の上下動を阻止する固定部とを備えていることを特徴とする先行手摺の支持装置。
【請求項５】
前記支持装置本体の上下部に、前記固定部による支持装置本体の上下動の阻止または阻止解除、および支持装置本体の移動を操作するための操作部を設けてあることを特徴とする請求項４記載の先行手摺の支持装置。
【請求項６】
前記ストッパーは、前記走行用溝の開口側である両側部の端面に揺動自在に軸着した２個のストッパー本体と、該ストッパー本体を前記走行用溝の開口部分に突出状態に付勢しているスプリングとを備え、前記ストッパー本体の下面側が前記建枠の横材に係止されることで、前記支持装置本体の下方への移動を阻止するようにしたことを特徴とする請求項１〜５の何れかに記載の先行手摺の支持装置。
【請求項７】
前記ストッパーが、さらに、前記ストッパー本体の前記走行用溝の開口部分への突出状態を解除するための解除レバーを備えていることを特徴とする請求項６記載の先行手摺の支持装置。
【請求項８】
前記ガイド部は、前記支持装置本体の前記走行用溝の開口側である両側部に軸着され、該支持装置本体の幅方向へ移動自在であると共に、スプリングによって前記走行用溝の開口部分に突出状態となるように付勢されている一対のローラーからなることを特徴とする請求項３〜７の何れかに記載の先行手摺の支持装置。
【請求項９】
前記支持装置本体の上部に、手摺部分を一体化した先行手摺支柱部分を取付けてあることを特徴とする請求項１〜８の何れかに記載の先行手摺の支持装置。
【請求項１０】
前記先行手摺支柱部分が、前記支持装置本体の上部に着脱自在に取付けられるようになっていることを特徴とする請求項９記載の先行手摺の支持装置。
【請求項１１】
前記支持装置本体の上部に、手摺部分が取付けられる先行手摺支柱部分が設けられていることを特徴とする請求項１〜８の何れかに記載の先行手摺の支持装置。
【請求項１２】
前記先行手摺支柱部分に手摺部分の端部が取付けられるようになっていることを特徴とする請求項１１記載の先行手摺の支持装置。
【請求項１３】
前記先行手摺支柱部分に手摺部分の端部を揺動自在に軸着してあることを特徴とする請求項１１または１２記載の先行手摺の支持装置。
【請求項１４】
前記手摺部分が伸縮自在であることを特徴とする請求項１１、１２または１３記載の先行手摺の支持装置。
【請求項１５】
前記先行手摺支柱部分に手摺部分の中間部分が取付けられるようになっていることを特徴とする請求項１１記載の先行手摺の支持装置。
【手続補正２】
【補正対象書類名】明細書
【補正対象項目名】００１２
【補正方法】変更
【補正の内容】
【００１２】
また、各建枠の支柱の上下動およびその上下動の阻止により、上部に取付けた先行手摺を、枠組み足場の組立てや解体作業における次工程の床板上にセットできるように構成している。
より具体的には、この出願の請求項１に係る発明は、上下方向へ継ぎ足せるように構成した一対の支柱とこの両支柱の上端に架設した横材とからなる建枠を、上下方向に多数設けると共に、左右方向に多数並設し、かつ、この各建枠の横材間に床板を架け渡してなる枠組み足場用の先行手摺を支持するための支持装置であって、前記建枠の一方側の支柱に上下動自在に取付けられる支持装置本体と、該支持装置本体を前記横材に係止するためのストッパーとを有し、該支持装置本体の上下動を前記ストッパーが係止される前記横材の利用で阻止して固定できるようにしたことを特徴とするものである。
【手続補正３】
【補正対象書類名】明細書
【補正対象項目名】００１４
【補正方法】変更
【補正の内容】
【００１４】
【発明の実施の形態】
以下、この発明の先行手摺の支持装置を、図示する実施形態によって説明する。


【手続補正４】
【補正対象書類名】明細書
【補正対象項目名】００１５
【補正方法】変更
【補正の内容】
【００１５】
この発明の支持装置１（図１および図８参照）は、上下方向へ継ぎ足せるように構成した一対の支柱２ａとこの両支柱２ａの上端に架設した横材２ｂとからなる建枠２を、上下方向に多数設けると共に、左右方向に多数並設し、かつ、この各建枠２の横材２ｂ間に床板３を架け渡してなる枠組み足場４において、その組立てや解体作業時の安全を確保する先行手摺５を、各建枠２の支柱２ａで支持できるようにするものである。


【手続補正５】
【補正対象書類名】明細書
【補正対象項目名】００１６
【補正方法】変更
【補正の内容】
【００１６】
そして、この発明の第１の実施形態における支持装置１は、図１に示すように、各建枠２の一方側の各支柱２ａのそれぞれに上下動自在に設けていると共に、その上下動を横材２ｂの利用で阻止して固定できるように構成している。また、上下動およびその上下動の阻止により、上部に取付けた先行手摺５を、前記作業における次工程の床板３上にセットできるように構成している。


【手続補正６】
【補正対象書類名】明細書
【補正対象項目名】００１７
【補正方法】変更
【補正の内容】
【００１７】
この実施形態での支持装置１は、図１に示すように、両側部６ａおよび底部６ｂから断面略コ字状に形成していると共に、その両側部６ａおよび底部６ｂで囲まれた走行用溝６ｃの内部を建枠２の支柱２ａが通るようにして、支柱２ａに上下動自在に設けており（請求項２、４等に対応）、上部に先行手摺５を着脱自在に取付けられるように構成した本体６（請求項１０に対応）と、この本体６の上下部において、走行用溝６ｃの開口側である両側部６ａの端面に設けており、本体６の上下動のガイドおよび本体６の支柱２ａからの外れ止めを行うガイド部７（請求項３、４等に対応）と、本体６の上部において、走行用溝６ｃの開口側である両側部６ａの端面に設けており、横材２ｂに係止して本体６の下方への移動のみを阻止するストッパー８（請求項４、５等に対応）と、本体６の両側部６ａに設けており、支柱２ａを挟持して本体６の上下動を阻止する固定部９（請求項２、４等に対応）と、本体６の上下部に設けており、固定部９の阻止または阻止解除の状態変化および本体６の移動を操作する操作部１０（請求項５等に対応）とを備えている。


【手続補正７】
【補正対象書類名】明細書
【補正対象項目名】００２３
【補正方法】変更
【補正の内容】
【００２３】
この一対のローラー７ａの各軸７ｂは、図３に示すように、本体６の幅方向へ移動自在であると共に、スプリング７ｃによって、ローラー７ａが走行用溝６ｃの開口部分に突出状態となるように支持されている（請求項８に対応）。


【手続補正８】
【補正対象書類名】明細書
【補正対象項目名】００２６
【補正方法】変更
【補正の内容】
【００２６】
この実施形態でのストッパー８は、図４に示すように、両側部６ａの端面に揺動自在に軸着した二個のストッパー本体８ａと、このストッパー本体８ａの軸部周囲に巻回しており、ストッパー本体８ａを走行用溝６ｃの開口部分に突出状態で支持しているスプリング８ｂと、ストッパー本体８ａの走行用溝６ｃの開口部分への突出状態を解除する解除レバー８ｃとからなっている（請求項６、７等に対応）。


【手続補正９】
【補正対象書類名】明細書
【補正対象項目名】００６１
【補正方法】変更
【補正の内容】
【００６１】
特に、この実施形態の支持装置１によれば、建枠２の支柱２ａが通る走行用溝６ｃを有する本体６（請求項２、４等に対応）と、本体６の上下動ガイドおよび支柱２ａからの外れ止めを行うガイド部７（請求項３、４等に対応）と、建枠２の横材２ｂに係止して本体６の下方への移動のみを阻止するストッパー８（請求項１、４等に対応）と、支柱２ａを挟持して本体６の上下動を阻止する固定部９（請求項２、４等に対応）と、固定部９の阻止または阻止解除の状態変化および本体６の移動を操作する操作部１０（請求項２、５等に対応）とを用いた前述した作業によって、先行手摺５の取付け作業をより容易にスムーズに短時間で行うことができるようになる。


【手続補正１０】
【補正対象書類名】明細書
【補正対象項目名】００６２
【補正方法】変更
【補正の内容】
【００６２】
図１８〜図２０は、この発明の第２の実施形態における支持装置１を示すものである。
ここでの支持装置１は、本体６の両側部６ａを上方へ延長して、先行手摺５の支柱部分として構成している。そして、この延長部分に、伸縮自在にした手摺５ｂの端部を揺動自在に取付けている（請求項１１〜１４に対応）。


【手続補正１１】
【補正対象書類名】明細書
【補正対象項目名】００６６
【補正方法】変更
【補正の内容】
【００６６】
即ち、前述した第１の実施形態が、上部に、手摺部分が一体に設けられた支柱部分を取付けており（請求項９に対応）、その支柱部分および手摺部分が、前記横材の利用による固定時に、前記作業における次工程の床板上で、一体の先行手摺としてセットできるように構成している、という構成であるのに対して、この第２の実施形態は、上部に、手摺部分を取付けており、その手摺部分とで、前記横材の利用による固定時に、前記作業における次工程の床板上で、一体の先行手摺としてセットできるように構成している、という構成である。


【手続補正１２】
【補正対象書類名】明細書
【補正対象項目名】００６７
【補正方法】変更
【補正の内容】
【００６７】
図２３は、この発明の第３の実施形態における支持装置１の上部に取付ける先行手摺５を示すものである。ここでの先行手摺５は、コーナー用として、一方の手摺５ｂが直角に折曲している。


【手続補正１３】
【補正対象書類名】明細書
【補正対象項目名】００６８
【補正方法】変更
【補正の内容】
【００６８】
図２４は、この発明の第４の実施形態における支持装置１を示すものである。ここでの支持装置１は、図１８で示したものと同様に、本体６の両側部６ａを上方へ延長して、先行手摺５の支柱部分として構成している。そして、この延長部分の一方側に、伸縮自在の手摺５ｂを揺動自在に軸着している（請求項１１〜１４に対応）。


【手続補正１４】
【補正対象書類名】明細書
【補正対象項目名】００７１
【補正方法】変更
【補正の内容】
【００７１】
図２５は、この発明の第５の実施形態における支持装置１を示すものである。
ここでの支持装置１は、図１８で示したものと同様に、本体６の両側部６ａを上方へ延長して、先行手摺５の支柱部分として構成している。そして、この延長部分に、クランプ金具１２を介して、手摺５ｂの中間部分を取付けている（請求項１５に対応）。


【手続補正１５】
【補正対象書類名】明細書
【補正対象項目名】００７３
【補正方法】変更
【補正の内容】
【００７３】
図２６は、この発明の第６の実施形態における支持装置１を示すものである。ここでの支持装置１は、図１８で示したものと同様に、本体６の両側部６ａを上方へ延長して、先行手摺５の支柱部分として構成している。そして、この延長部分に、ロープで構成した手摺５ｂを取付けている。


【手続補正１６】
【補正対象書類名】明細書
【補正対象項目名】００７６
【補正方法】変更
【補正の内容】
【００７６】
図２８は、この発明の第７の実施形態における支持装置１を示すものである。ここでの支持装置１は、モーター１４で動作する昇降駆動用ローラー１５によって、各建枠２の支柱２ａを上下動できるようにしている。


【手続補正１７】
【補正対象書類名】明細書
【補正対象項目名】００７９
【補正方法】変更
【補正の内容】
【００７９】
図３０は、この発明の第８の実施形態における支持装置１を示すものである。ここでの支持装置１は、先行手摺５と伴に防護ネット１６も取付けられるように構成したものである。この防護ネット１６を揺動自在に取付ければ、図３１に示すように、落下防止用ネットとしても使用することができる。


【手続補正１８】
【補正対象書類名】明細書
【補正対象項目名】図面の簡単な説明
【補正方法】変更
【補正の内容】
【図面の簡単な説明】
【図１】この発明の第１の実施形態における先行手摺の支持装置を建枠の支柱に設けた状態を示す概略斜視図である。
【図２】（ａ）はこの発明の第１の実施形態における支持装置を示す概略斜視図で、（ｂ）は（ａ）のＡ−Ａ線矢視図ある。
【図３】この発明の第１の実施形態における支持装置のガイド部を示したもので、（ａ）はガイド部の正面図（左側は断面図）、（ｂ）は（ａ）のＢ−Ｂ線矢視図、（ｃ）はガイド部の概略斜視図である。
【図４】この発明の第１の実施形態における支持装置のストッパーを示したもので、（ａ）はストッパー部分の正面図、（ｂ）は（ａ）のＣ−Ｃ線矢視図、（ｃ）はストッパー部分の概略斜視図である。
【図５】この発明の第１の実施形態における支持装置の固定部および操作部を示したもので、（ａ）は固定部および操作部の鉛直断面図、（ｂ）は（ａ）のＤ−Ｄ線矢視図、（ｃ）および（ｄ）は操作部における操作の様子を示す概略斜視図である。
【図６】この発明の第１の実施形態である図１〜図５に示した支持装置を用いた枠組み足場の組立て作業工程を示す概略工程図である。
【図７】図６に続く組立て作業工程を示す概略工程図である。
【図８】図７に続く組立て作業工程を示す概略工程図である。
【図９】図８に続く組立て作業工程を示す概略工程図である。
【図１０】図９に続く組立て作業工程を示す概略工程図である。
【図１１】図１０に続く組立て作業工程を示す概略工程図である。
【図１２】図１１に続く組立て作業工程を示す概略斜視図である。
【図１３】図１２に続く組立て作業工程を示す概略斜視図である。
【図１４】図１３に続く枠組み足場の解体作業工程を示す概略工程図である。
【図１５】図１４に続く解体作業工程を示す概略工程図である。
【図１６】図１５に続く解体作業工程を示す概略工程図である。
【図１７】図１６に続く解体作業工程を示す概略工程図である。
【図１８】この発明の第２の実施形態における支持装置を建枠の支柱に設けた状態を示す概略斜視図である。
【図１９】図１８に対応する支持装置のみの概略斜視図である。
【図２０】図１９のＥ−Ｅ線矢視図である。
【図２１】図１８〜２０に示した支持装置を用いた枠組み足場の組立ておよび解体作業工程を示す概略工程図である。
【図２２】図２１に続く枠組み足場の組立ておよび解体作業工程を示す概略工程図である。
【図２３】この発明の第３の実施形態における支持装置に取付ける先行手摺を示す概略斜視図である。
【図２４】この発明の第４の実施形態における支持装置を示す概略斜視図である。
【図２５】この発明の第５の実施形態における支持装置を示す概略斜視図である。
【図２６】この発明の第６の実施形態における支持装置を示す概略斜視図である。
【図２７】図２６に示した支持装置を用いた枠組み足場の組立ておよび解体作業工程を示す概略工程図である。
【図２８】この発明の第７の実施形態における支持装置を示す概略斜視図である。
【図２９】図２８の支持装置を用いた施工の様子を示す概略図である。
【図３０】この発明の第８の実施形態における支持装置を示す概略斜視図である。
【図３１】図３０の支持装置の応用例を示す概略斜視図である。
【符号の説明】
１…支持装置、２…建枠、２ａ…支柱、２ｂ…横材、３…床板、４…枠組み足場、５…先行手摺、５ａ…支柱、５ｂ…手摺、６…本体、６ａ…側部、６ｂ…底部、６ｃ…走行用溝、６ｄ…手摺取付け部、７…ガイド部、７ａ…ローラー、７ｂ…軸、７ｃ…スプリング、８…ストッパー、８ａ…ストッパー本体、８ｂ…スプリング、８ｃ…解除レバー、８ｄ…傾斜面、８ｅ…係止面、８ｆ…係止ピン、９…固定部、９ａ…固定パッド、９ｂ…スプリング、１０…操作部、１０ａ…把手部、１０ｂ…クランプリンク、１０ｃ…クランプレバー、１０ｄ…クランプ連動バー、１１…連結部、１２…クランプ金具、１３…緊張部、１４…モーター、１５…昇降駆動用ローラー、１６…防護ネット。